(57)【要約】【課題】ＨＤＭＩ−ＣＥＣ機能を利用して、ユーザが意図する状態で起動させることができる映像音声機器、及びそれを備える映像音声システムを提供する。【解決手段】信号増幅回路部を備える映像音声機器と外部装置とをＨＤＭＩケーブルを介して接続し、映像音声機器又は外部装置の音声を音声出力装置から出力させる映像音声システムにおいて、外部装置の所定の状態が変化するとき、システムオーディオコントロール機能を有効にすること、又は、外部入力モードで立ち上げる旨が動作設定情報に設定されていない場合には、該機能を無効に設定するとともに、機器をコンテンツ再生装置として立ち上げ、システムオーディオコントロール機能を有効にすること、及び、外部入力モードで立ち上げる旨が動作設定情報に設定されている場合には、該機能を有効に設定するとともに、機器を音声増幅装置として立ち上げる。【選択図】図１
2012248257.tif 000002
【特許請求の範囲】
【請求項１】
着脱可能な記憶媒体又は内蔵する記憶装置からコンテンツを読み出すコンテンツ再生回路部と、
音声信号を増幅して音声出力装置に出力する信号増幅回路部と、
前記コンテンツ再生回路部が読み出した前記コンテンツから前記音声情報を抽出し、第１音声信号として出力する音声処理回路部と、
を備えるＨＤＭＩ対応の映像音声機器であって、
ＨＤＭＩケーブルを介して接続される外部装置と通信するＨＤＭＩ通信部と、
ＨＤＭＩ規格に定められたシステムオーディオシステムコントロール機能を有効にするか無効にするかと、立ち上げ時の動作モードと、を設定するための動作設定情報を記憶する記憶部と、
前記外部装置の所定の状態が変化したときに前記外部装置から出力される予め定められるＣＥＣコマンドを前記ＨＤＭＩ通信部が受け取るとき、前記システムオーディオコントロール機能を有効にすること、又は、前記外部装置から前記ＨＤＭＩ通信部に入力される第２音声信号を前記信号増幅回路部に入力する外部入力モードで立ち上げる旨が前記動作設定情報に設定されていない場合には、前記システムオーディオコントロール機能を無効に設定するとともに、機器をコンテンツ再生装置として立ち上げ、前記システムオーディオコントロール機能を有効にすること、及び、前記外部入力モードで立ち上げる旨が前記動作設定情報に設定されている場合には、前記システムオーディオコントロール機能を有効に設定するとともに、機器を音声増幅装置として立ち上げるＣＥＣ制御回路部と、
をさらに備えることを特徴とする映像音声機器。
【請求項２】
前記外部装置の所定の状態の変化が、前記外部装置の立ち上げであることを特徴とする請求項１に記載の映像音声機器。
【請求項３】
前記外部装置がテレビジョン受像機であり、
前記外部装置の所定の状態の変化が、前記テレビジョン受像機が受信する放送信号のチャンネル変更であることを特徴とする請求項１又は請求項２に記載の映像音声機器。
【請求項４】
前記ＣＥＣ制御回路部から入力される制御信号に基づいて、前記信号増幅回路部に出力する音声信号を切り換える切換回路部をさらに備え、
前記ＣＥＣ制御回路部は、
前記予め定められるＣＥＣコマンドを前記ＨＤＭＩ通信部が受け取るとき、
前記システムオーディオコントロール機能を有効にすること、又は、前記外部入力モードで立ち上げる旨が前記動作設定情報に設定されていない場合には、第１音声信号を前記切替回路部から前記信号増幅回路部に出力させるための第１制御信号を前記切換回路部に出力し、
前記システムオーディオコントロール機能を有効にすること、及び、前記外部入力モードで立ち上げる旨が前記動作設定情報に設定されている場合には、第２音声信号を前記切替回路部から前記信号増幅回路部に出力させるための第２制御信号を前記切換回路部に出力することを特徴とする請求項１〜請求項３のいずれかに記載の映像音声機器。
【請求項５】
着脱可能な記憶媒体又は内蔵する記憶装置からコンテンツを読み出すコンテンツ再生回路部と、
音声信号を増幅して音声出力装置に出力する信号増幅回路部と、
前記コンテンツ再生回路部が読み出した前記コンテンツから前記音声情報を抽出し、第１音声信号として出力する音声処理回路部と、
を備えるＨＤＭＩ対応の映像音声機器であって、
ＨＤＭＩケーブルを介して接続される外部装置と通信するＨＤＭＩ通信部と、
ＨＤＭＩ規格に定められたシステムオーディオシステムコントロール機能を有効にするか無効にするかと、立ち上げ時の動作モードと、を設定するための動作設定情報を記憶する記憶部と、
前記外部装置の所定の状態が変化したときに前記外部装置から出力される予め定められるＣＥＣコマンドを前記ＨＤＭＩ通信部が受け取るとき、前記システムオーディオコントロール機能を有効にすること、又は、前記外部装置から前記ＨＤＭＩ通信部に入力される第２音声信号を前記信号増幅回路部に入力する外部入力モードで立ち上げる旨が前記動作設定情報に設定されていない場合には、前記システムオーディオコントロール機能を無効に設定するとともに、機器をコンテンツ再生装置として立ち上げ、前記システムオーディオコントロール機能を有効にすること、及び、前記外部入力モードで立ち上げる旨が前記動作設定情報に設定されている場合には、前記システムオーディオコントロール機能を有効に設定するとともに、機器を音声増幅装置として立ち上げるＣＥＣ制御回路部と、
をさらに備えることを特徴とする映像音声機器。
【請求項６】
請求項１〜５のいずれかに記載の映像音声機器と、
前記映像音声機器と接続されるＨＤＭＩ対応の外部装置と、
前記映像音声機器又は前記外部装置の音声出力を行う音声出力装置と、
を含むことを特徴とする映像音声システム。
【発明の詳細な説明】
【技術分野】
【０００１】
本発明は、ＨＤＭＩ規格に対応する映像音声機器、及びそれを備える映像音声システムに関する。
【背景技術】
【０００２】
従来、より高音質で迫力のある音声出力を楽しむために、テレビや光ディスク装置などの映像音声機器の音声出力をアンプ装置で増幅し、専用のオーディオスピーカから出力させる映像音声システムが知られている。このような映像音声システムでは、アンプ装置の入力側にテレビや光ディスク装置などの映像音声機器が接続され、出力側にオーディオスピーカが接続される。また、オーディオスピーカにアンプ装置が内蔵されている場合、テレビや光ディスク装置などの映像音声機器が直接オーディオスピーカに接続される。
【０００３】
一方、近年では、アンプ装置が内蔵された光ディスク装置も普及しており、テレビの音声や光ディスクで再生するコンテンツの音声を光ディスク装置のアンプ装置で増幅してオーディオスピーカから音声出力させる映像音声システムもある。この映像音声システムでは、テレビや光ディスク装置などの各機器がＨＤＭＩ（High Definition Multimedia Interface）規格に対応しており、テレビと光ディスク装置とがＨＤＭＩケーブルで接続され、光ディスク装置の音声出力端子にオーディオスピーカが接続される。
【０００４】
この映像音声システムでは、ＨＤＭＩ規格のＣＥＣ（Consumer Electronics Control）機能により、ＨＤＭＩケーブルで接続されたテレビや光ディスク装置を相互に連携した動作で制御することができる。そのため、ＣＥＣ機能を利用すれば、テレビ／光ディスク装置の音声出力の切換や、音声出力の音量調節、ＨＤＭＩケーブルで相互接続された全ての映像音声機器の電源のＯＮ／ＯＦＦの切り換えなどをリモコンで操作することができる。
【０００５】
たとえば、特許文献１のシステムでは、ＨＤＭＩ接続されたモニタ及び外部機器（チューナや光ディスク装置）の音量調節をリモコンで操作することができる。また、特許文献２の映像音声システムでは、テレビの視聴中に光ディスク再生装置を再生すると映像や音声が光ディスク再生装置からの入力に自動的に切り換えさせることや、光ディスク再生装置の電源のオン／オフをテレビのリモコンから操作することができる。また、特許文献３の通信システムでは、リモコン操作により、テレビのチャンネル選局や、テレビで視聴中の番組放送のワンタッチ録画、音声出力を「シアターモード」（オーディオアンプに接続されたスピーカ群での音声出力）に切り換えることができる。
【先行技術文献】
【特許文献】
【０００６】
【特許文献１】特開２０１０−４１２０３号公報
【特許文献２】特開２００９−１００３２９号公報
【特許文献３】再公表特許ＷＯ２００８／０５６７０７号
【発明の概要】
【発明が解決しようとする課題】
【０００７】
しかしながら、ＨＤＭＩ規格では、ＣＥＣ機能を利用してテレビのチャンネル変更やテレビや光ディスク装置のワンタッチ起動などを行うとき、どの機器の機能を優先するかが明確に定められていないため、ユーザが意図しない動作を行う場合がある。たとえば、テレビのワンタッチ起動や、テレビの視聴中にチャンネル変更の操作入力をすると、自動的に光ディスク装置がコンテンツ再生装置として立ち上がり、そのコンテンツの音声出力が優先されて、テレビの音声がオーディオスピーカから出力されないことがある。
【０００８】
これに対して、特許文献１では、モニターを起動したとき、外部機器の接続を認識できるか否かにより、モニター側で音声出力するか外部機器側で音声出力するかを決定している。また、特許文献２では、光ディスク再生装置の要求によりテレビで音声出力するかアンプ装置から音声出力するかを決定している。しかし、特許文献１，２では、音声出力させる機器をユーザが任意に選択することはできない。また、特許文献３では、テレビのワンタッチ起動やチャンネル変更の際に、光ディスク装置をどのような状態で立ち上げるかについては明確にされていない。
【０００９】
本発明は、上記の問題を鑑みてなされたものであり、その目的は、ＨＤＭＩ−ＣＥＣ機能を利用して、ユーザが意図する状態で起動させることができる映像音声機器、及びそれを備える映像音声システムを提供することを目的とする。
【課題を解決するための手段】
【００１０】
上記目的を達成するために本発明の映像音声機器は、着脱可能な記憶媒体又は内蔵する記憶装置からコンテンツを読み出すコンテンツ再生回路部と、音声信号を増幅して音声出力装置に出力する信号増幅回路部と、前記コンテンツ再生回路部が読み出した前記コンテンツから前記音声情報を抽出し、第１音声信号として出力する音声処理回路部と、を備えるＨＤＭＩ対応の映像音声機器であって、ＨＤＭＩケーブルを介して接続される外部装置と通信するＨＤＭＩ通信部と、ＨＤＭＩ規格に定められたシステムオーディオシステムコントロール機能を有効にするか無効にするかと、立ち上げ時の動作モードと、を設定するための動作設定情報を記憶する記憶部と、前記外部装置の所定の状態が変化したときに前記外部装置から出力される予め定められるＣＥＣコマンドを前記ＨＤＭＩ通信部が受け取るとき、前記システムオーディオコントロール機能を有効にすること、又は、前記外部装置から前記ＨＤＭＩ通信部に入力される第２音声信号を前記信号増幅回路部に入力する外部入力モードで立ち上げる旨が前記動作設定情報に設定されていない場合には、前記システムオーディオコントロール機能を無効に設定するとともに、機器をコンテンツ再生装置として立ち上げ、前記システムオーディオコントロール機能を有効にすること、及び、前記外部入力モードで立ち上げる旨が前記動作設定情報に設定されている場合には、前記システムオーディオコントロール機能を有効に設定するとともに、機器を音声増幅装置として立ち上げるＣＥＣ制御回路部と、をさらに備える。
【００１１】
上記構成によれば、外部装置の所定の状態が変化するとき、ＨＤＭＩ（High Definition Multimedia Interface）規格に定められたシステムオーディオコントロール機能を有効にすること、又は、外部装置から入力される第２音声信号を信号増幅回路部に入力する外部入力モードで立ち上げる旨が動作設定情報に設定されていない場合には、システムオーディオコントロール機能を無効に設定するとともに、映像音声機器をコンテンツ再生装置として立ち上げ、システムオーディオコントロール機能を有効にすること、及び、外部入力モードで立ち上げる旨が動作設定情報に設定されている場合には、システムオーディオコントロール機能を有効に設定するとともに、映像音声機器を音声増幅装置として立ち上げる。そのため、外部装置の所定の状態が変化したときに映像音声機器をコンテンツ再生装置として利用するか或いは外部入力される音声信号の増幅装置として利用するかを、動作設定情報により予め設定しておくことができる。従って、ＨＤＭＩ−ＣＥＣ（High Definition Multimedia Interface - Consumer Electronics Control）機能を利用して、ユーザが意図する状態で映像音声機器を立ち上げることができる。
【００１２】
なお、ＨＤＭＩ−ＣＥＣ機能とは、ＨＤＭＩに対応する機器間をＨＤＭＩケーブルで接続したとき、両者がＨＤＭＩケーブルを介してＣＥＣコマンドと呼ばれる制御信号を送受信することにより、両者を連携した動作で相互制御することを実現する機能である。
【００１３】
上記構成において、前記外部装置の所定の状態の変化が、前記外部装置の立ち上げであってもよいし、前記外部装置がテレビジョン受像機であり、前記外部装置の所定の状態の変化が、前記テレビジョン受像機が受信する放送信号のチャンネル変更であってもよい。
【００１４】
また、上記構成において、前記ＣＥＣ制御回路部から入力される制御信号に基づいて、前記信号増幅回路部に出力する音声信号を切り換える切換回路部をさらに備え、前記ＣＥＣ制御回路部は、前記予め定められるＣＥＣコマンドを前記ＨＤＭＩ通信部が受け取るとき、前記システムオーディオコントロール機能を有効にすること、又は、前記外部入力モードで立ち上げる旨が前記動作設定情報に設定されていない場合には、第１音声信号を前記切替回路部から前記信号増幅回路部に出力させるための第１制御信号を前記切換回路部に出力し、前記システムオーディオコントロール機能を有効にすること、及び、前記外部入力モードで立ち上げる旨が前記動作設定情報に設定されている場合には、第２音声信号を前記切替回路部から前記信号増幅回路部に出力させるための第２制御信号を前記切換回路部に出力するものとしてもよい。
【００１５】
この構成により、外部装置の所定の状態が変化するとき、着脱可能な記憶媒体又は内蔵する記憶装置から読み出されるコンテンツから抽出される第１音声信号、及び、外部装置からＨＤＭＩケーブルを介して外部入力される第２音声信号のうちのどちらを切替回路部から信号増幅回路部に出力させるかを動作設定情報により予め設定することができる。
【００１６】
また、上記目的を達成するために本発明の映像音声機器は、着脱可能な記憶媒体又は内蔵する記憶装置からコンテンツを読み出すコンテンツ再生回路部と、音声信号を増幅して音声出力装置に出力する信号増幅回路部と、前記コンテンツ再生回路部が読み出した前記コンテンツから前記音声情報を抽出し、第１音声信号として出力する音声処理回路部と、を備えるＨＤＭＩ対応の映像音声機器であって、ＨＤＭＩケーブルを介して接続される外部装置と通信するＨＤＭＩ通信部と、ＨＤＭＩ規格に定められたシステムオーディオシステムコントロール機能を有効にするか無効にするかと、立ち上げ時の動作モードと、を設定するための動作設定情報を記憶する記憶部と、前記外部装置の所定の状態が変化したときに前記外部装置から出力される予め定められるＣＥＣコマンドを前記ＨＤＭＩ通信部が受け取るとき、前記システムオーディオコントロール機能を有効にすること、又は、前記外部装置から前記ＨＤＭＩ通信部に入力される第２音声信号を前記信号増幅回路部に入力する外部入力モードで立ち上げる旨が前記動作設定情報に設定されていない場合には、前記システムオーディオコントロール機能を無効に設定するとともに、機器をコンテンツ再生装置として立ち上げ、前記システムオーディオコントロール機能を有効にすること、及び、前記外部入力モードで立ち上げる旨が前記動作設定情報に設定されている場合には、前記システムオーディオコントロール機能を有効に設定するとともに、機器を音声増幅装置として立ち上げるＣＥＣ制御回路部と、をさらに備える。
【００１７】
上記構成によれば、外部装置の所定の状態が変化するとき、ＨＤＭＩ規格に定められたシステムオーディオコントロール機能を有効にすること、又は、外部装置から入力される第２音声信号を信号増幅回路部に入力する外部入力モードで立ち上げる旨が動作設定情報に設定されていない場合には、システムオーディオコントロール機能を無効に設定するとともに、映像音声機器をコンテンツ再生装置として立ち上げ、システムオーディオコントロール機能を有効にすること、及び、外部入力モードで立ち上げる旨が動作設定情報に設定されている場合には、システムオーディオコントロール機能を有効に設定するとともに、映像音声機器を音声増幅装置として立ち上げる。そのため、外部装置の所定の状態が変化したときに映像音声機器をコンテンツ再生装置として利用するか或いは外部入力される音声信号の増幅装置として利用するかを、動作設定情報により予め設定しておくことができる。従って、ＨＤＭＩ−ＣＥＣ機能を利用して、ユーザが意図する状態で映像音声機器を立ち上げることができる。
【００１８】
また、上記目的を達成するために本発明の映像音声システムは、上述の映像音声機器と、前記映像音声機器と接続されるＨＤＭＩ対応の外部装置と、前記映像音声機器又は前記外部装置の音声出力を行う音声出力装置と、を含む。
【００１９】
上記構成によれば、外部装置の所定の状態が変化するとき、ＨＤＭＩ規格に定められたシステムオーディオコントロール機能を有効にすること、又は、外部装置から入力される第２音声信号を信号増幅回路部に入力する外部入力モードで立ち上げる旨が動作設定情報に設定されていない場合には、システムオーディオコントロール機能を無効に設定するとともに、映像音声機器をコンテンツ再生装置として立ち上げ、システムオーディオコントロール機能を有効にすること、及び、外部入力モードで立ち上げる旨が動作設定情報に設定されている場合には、システムオーディオコントロール機能を有効に設定するとともに、映像音声機器を音声増幅装置として立ち上げる。そのため、外部装置の所定の状態が変化したときに映像音声機器をコンテンツ再生装置として利用するか或いは外部入力される音声信号の増幅装置として利用するかを、動作設定情報により予め設定しておくことができる。従って、ＨＤＭＩ−ＣＥＣ機能を利用して、ユーザが意図する状態で映像音声機器を立ち上げることができる。
【発明の効果】
【００２０】
本発明によれば、外部装置の所定の状態が変化するとき、ＨＤＭＩ規格に定められたシステムオーディオコントロール機能を有効にすること、又は、外部装置から入力される第２音声信号を信号増幅回路部に入力する外部入力モードで立ち上げる旨が動作設定情報に設定されていない場合には、システムオーディオコントロール機能を無効に設定するとともに、映像音声機器をコンテンツ再生装置として立ち上げ、システムオーディオコントロール機能を有効にすること、及び、外部入力モードで立ち上げる旨が動作設定情報に設定されている場合には、システムオーディオコントロール機能を有効に設定するとともに、映像音声機器を音声増幅装置として立ち上げる。そのため、外部装置の所定の状態が変化したときに映像音声機器をコンテンツ再生装置として利用するか或いは外部入力される音声信号の増幅装置として利用するかを、動作設定情報により予め設定しておくことができる。従って、ＨＤＭＩ−ＣＥＣ機能を利用して、ユーザが意図する状態で映像音声機器を立ち上げることができる。
【図面の簡単な説明】
【００２１】
【図１】本実施形態の映像音声システムの構成図である。
【図２】光ディスク装置を立ち上げる時の動作のフローチャートである。
【発明を実施するための形態】
【００２２】
以下に本発明の実施形態について図面を参照して説明する。図１は、本実施形態の映像音声システムの構成図である。映像音声システム１は、光ディスク装置２（映像音声機器）と、テレビジョン受像機３（以下、テレビと呼ぶ。）と、オーディオスピーカ５（音声出力装置）と、を備えている。光ディスク装置２やテレビ３には、それぞれ、ユーザが操作入力を行うためのリモコン４ａ，４ｂが付属している。なお、これに限定されず、映像音声システム１には、他の映像音声機器がさらに接続されていてもよい。
【００２３】
光ディスク装置２及びテレビ３はともにＨＤＭＩ規格に対応する映像音声機器である。そのため、映像音声システム１では、ＨＤＭＩ−ＣＥＣ機能により、光ディスク装置２やテレビ３を連携した動作で相互制御することができる。ここで、ＨＤＭＩ−ＣＥＣ（High Definition Multimedia Interface - Consumer Electronics Control）機能とは、ＨＤＭＩに対応する機器間をＨＤＭＩケーブル６で接続したとき、両者がＨＤＭＩケーブル６を介してＣＥＣコマンドと呼ばれる制御信号を送受信することにより、両者を連携した動作で相互制御することを実現する機能である。ＨＤＭＩ−ＣＥＣ機能を利用すれば、映像音声システム１を構成する各機器の動作を、付属のリモコン４ａ，４ｂで操作することができる。ユーザは光ディスク装置２やテレビ３の動作を光ディスク装置２のリモコン４ａだけを利用して操作することもできるし、テレビ３のリモコン４ｂだけを利用して操作することもできる。
【００２４】
また、映像音声システム１では、システムオーディオコントロール（System Audio Control）機能を利用すると、ユーザがＤＶＤなどの光ディスク２１０に格納されたコンテンツを鑑賞する場合には、光ディスク装置２が再生するコンテンツの映像をテレビ３に表示させ、音声をオーディオスピーカ５から出力させることができる。また、ユーザが放送番組を鑑賞する場合には、テレビ３が受信する放送番組の映像をテレビ３に表示させ、その放送番組の音声を光ディスク装置２のアンプ機能を利用して増幅して、迫力のある高音質の音声をオーディオスピーカ５から出力させることもできる。
【００２５】
なお、ＨＤＭＩ規格では、音声出力を他の映像音声機器（ここでは光ディスク装置２）に行わせる場合、その機器自身（ここではテレビ３）からの音声出力はミュート（消音）されることが定められている。そのため、テレビ３の音声を光ディスク装置２のアンプ機能を利用してオーディオスピーカ５から出力される場合には、テレビ３自身から音声が出力されることはない。
【００２６】
また、光ディスク装置２及びテレビ３はＨＤＭＩケーブル６を介して接続されている。ＨＤＭＩケーブル６は、ＨＤＭＩ−ＣＥＣ機能を利用するためＣＥＣ制御信号を送受信するための制御信号線６ａと、映像信号や音声信号を伝搬するための映像音声信号線６ｂと、を含んでいる。
【００２７】
次に、光ディスク装置２の構成について説明する。光ディスク装置２は、光ディスクドライブ２１（コンテンツ再生回路部）と、ＨＤＭＩ通信部２２と、受信部２３と、メモリ２４（記憶部）と、制御回路部２５と、アンプ回路部２６（信号増幅回路部）と、を備えている。制御回路部２５は、ＣＥＣ制御回路部２５１と、映像音声処理回路部２５２と、切換回路部２５３と、を有している。また、光ディスク装置２には、ＨＤＭＩ端子２２０と、音声出力端子２６０と、アナログ音声端子２８０と、Ａ／Ｄ変換回路部２８１と、デジタル音声端子２９０と、が設けられている。このほか、光ディスク装置２は、ＨＤＤなどの記憶装置（内蔵する記憶装置）や、光ディスク２１０などの着脱可能な記録媒体に情報を書き込むことができるコンテンツ記録回路部（たとえば、光ディスク２１０に情報を書き込みできる光ディスクドライブなど）を備えていてもよい。
【００２８】
ＨＤＭＩ端子２２０は、ＨＤＭＩ規格に対応する外部機器と通信するために、ＨＤＭＩケーブル６が接続される外部接続用端子であり、ＨＤＭＩ制御端子２２０ａ及びＨＤＭＩ映像音声端子２２０ｂを含む複数の端子で構成されている。ＨＤＭＩ制御端子２２０ａでは、テレビ３と光ディスク装置２とを相互制御するためのＣＥＣ制御信号（以下、ＣＥＣコマンドと呼ぶ。）が送受信される。ＨＤＭＩ映像音声端子２２０ｂでは、映像信号や音声信号が重畳された映像音声信号が入出力される。
【００２９】
音声出力端子２６０は、アンプ回路部２６から出力される音声信号を外部出力するための出力端子である。また、アナログ音声端子２８０には、外部からアナログ音声信号が入力される。アナログ音声端子２８０に入力されたアナログ音声信号は、Ａ／Ｄ変換回路部２８１でデジタル信号に変換される。また、デジタル音声端子２９０には、外部からデジタル音声信号が入力される。Ａ／Ｄ変換回路部２８１にて変換されたデジタル音声信号や、デジタル音声端子２９０に入力されたデジタル信号は切換回路部２５３に出力される。
【００３０】
光ディスクドライブ２１は、光ディスク２１０（着脱可能な記憶媒体）からコンテンツを読み出し、再生信号として出力するコンテンツ再生回路部である。
【００３１】
ＨＤＭＩ通信部２２は、ＨＤＭＩ端子２２０に接続されるＨＤＭＩケーブル６を介して、テレビ３と通信するためのインターフェースである。ＨＤＭＩ通信部２２は、ＣＥＣ制御回路部２５１から入力されるＣＥＣコマンドをＨＤＭＩ制御端子２２０ａからＨＤＭＩケーブル６を介してテレビ３に出力し、テレビ３からＨＤＭＩケーブル６を介してＨＤＭＩ制御端子２２０ａに入力されるＣＥＣコマンドをＣＥＣ制御回路部２５１に出力する。また、ＨＤＭＩ通信部２２は、光ディスク装置２とテレビ３との間で送受信される伝送信号に、映像処理回路部２５２ｂから出力される映像信号を重畳し、映像音声信号としてＨＤＭＩ映像音声端子２２０ｂからＨＤＭＩケーブル６を介してテレビ３に出力する。また、ＨＤＭＩ通信部２２は、テレビ３からＨＤＭＩケーブル６を介してＨＤＭＩ映像音声端子２２０ｂに入力される映像音声信号から音声信号（第２音声信号）を抽出し、抽出した音声信号（第２音声信号）を切換回路部２５３に出力する。
【００３２】
受信部２３は、リモコン４ａから赤外線信号を受信し、その赤外線信号から操作コードを抽出して、制御回路部２５に出力する。
【００３３】
メモリ２４は不揮発性の記録媒体である。このメモリ２４には、制御回路部２５やＣＥＣ制御回路部２５１が、光ディスク装置２の各構成部や光ディスク装置２に接続される外部機器（ここではテレビ３）の制御を行うために必要な制御情報（たとえば、各操作コードと各機能との対応関係を示すデータテーブルや、ＣＥＣコマンドなど）やプログラムなどが記憶されている。
【００３４】
このほか、このメモリ２４には、ＨＤＭＩ規格に定められたシステムオーディオシステムコントロール機能を有効にするか無効にするかと、光ディスク装置２の立ち上げ時の動作モードと、を設定するための動作設定情報が記憶されている。リモコン４ａまたはリモコン４ｂに光ディスク装置２やテレビ３を立ち上げる旨の操作入力がなされたり、テレビ３からＨＤＭＩケーブル６を介して光ディスク装置２に「システムオーディオモードリクエスト（System Audio Mode Request）」などの予め定められたＣＥＣコマンドが入力されたりすると、動作設定情報に基づいて、オーディオシステムコントロール機能のＯＮ／ＯＦＦが光ディスク装置２に設定され、さらに、光ディスク装置２をアンプ装置（音声増幅装置）として立ち上げるか、プレイヤー（コンテンツ再生装置）として立ち上げるかが設定される。なお、動作設定情報は、光ディスク装置２の立ち上げ時の動作モードに代えて、切替回路部２５３からアンプ回路部２６に出力される音声信号を設定するためのものであってもよい。
【００３５】
この動作設定情報により、テレビ３の所定の状態（たとえば、テレビ３の立ち上げや、チャンネル変更など）が変化したとき、光ディスク装置２をコンテンツ再生モードで立ち上げて光ディスクプレイヤー（コンテンツ再生装置）として機能させるか、システムオーディオコントロール機能を有効に設定して、外部入力モードで立ち上げて外部入力される音声信号を増幅するアンプ装置（音声増幅装置）として機能させるかを、予め設定しておくことができる。従って、ＨＤＭＩ−ＣＥＣ機能を利用して、ユーザが意図する状態で光ディスク装置２を立ち上げることができる。この動作設定情報は、たとえば光ディスク装置２のメニュー画面の機能設定などで作成・変更することができる。
【００３６】
制御回路部２５は、メモリ２４又は制御回路部２５に内蔵されるＲＯＭ（不図示）に格納されたプログラムを利用して、受信部２３から出力される操作コードや、メモリ２４に格納されている制御情報に応じて、光ディスク装置２全体の動作を制御している。
【００３７】
ＣＥＣ制御回路部２５１は、テレビ３に対してＨＤＭＩケーブル６を介して送受信するＣＥＣコマンドに基づいて、光ディスク装置２をテレビ３と連携した動作で制御している。たとえば、テレビ３のリモコン４ｂでの操作入力などにより、テレビ３の所定の状態が変化したとき（たとえば、テレビ３の立ち上げや、チャンネル変更など）にテレビ３から出力される予め定められるＣＥＣコマンド（たとえば「システムオーディオモードリクエスト」）をＨＤＭＩ通信部２２が受け取ると、ＣＥＣ制御回路部２５１は、システムオーディオコントロール機能を有効にすること、又は、テレビ３からＨＤＭＩ通信部２２に入力される音声信号（第２音声信号）をアンプ回路部２６に入力する外部入力モードで立ち上げる旨が動作設定情報に設定されていない場合には、システムオーディオコントロール機能を無効に設定するとともに、機器をコンテンツ再生装置として立ち上げる。また、システムオーディオコントロール機能を有効にすること、及び、外部入力モードで立ち上げる旨が動作設定情報に設定されている場合には、システムオーディオコントロール機能を有効に設定するとともに、機器を音声増幅装置として立ち上げる。
【００３８】
また、このとき、ＣＥＣ制御回路部２５１は、切換回路部２５３がアンプ回路部２６に出力する音声信号の切り換え動作を制御し、テレビ３からＨＤＭＩ通信部２２に入力される音声信号（第２音声信号）、及び、光ディスクドライブ２１が読み出したコンテンツから抽出した音声信号（第１音声信号）のうちのどちらをアンプ回路部２６に出力させるかを決定する。そして、ＣＥＣ制御回路部２５１は、これらの決定結果に基づいて、動作設定情報を編集し、メモリ２４に上書きする。さらに、ＣＥＣ制御回路部２５１は、システムオーディオコントロール機能を有効にすること、又は、外部入力モードで立ち上げる旨が動作設定情報に設定されていない場合には、第１音声信号を切替回路部２５３からアンプ回路部２６に出力させるための第１制御信号を切換回路部２５３に出力する。また、システムオーディオコントロール機能を有効にすること、及び、外部入力モードで立ち上げる旨が動作設定情報に設定されている場合には、第２音声信号を切替回路部２５３からアンプ回路部２６に出力させるための第２制御信号を切換回路部２５３に出力する。
【００３９】
また、光ディスク装置２のリモコン４での操作入力などにより、テレビ３の所定の状態を変化（たとえば、テレビ３の立ち上げや、チャンネル変更など）させるための予め定められるＣＥＣコマンドをＨＤＭＩ通信部２２からテレビ３に出力する場合にも同様に、ＣＥＣ制御回路部２５１は、メモリ２４に記憶されている動作設定情報に基づいて、オーディオシステムコントロール機能のＯＮ／ＯＦＦを光ディスク装置２に設定するとともに、光ディスク装置２をアンプ装置又はコンテンツ再生装置として立ち上げる。また、このとき、ＣＥＣ制御回路部２５１は、切換回路部２５３がアンプ回路部２６に出力する音声信号の切り換え動作を制御し、テレビ３からＨＤＭＩ通信部２２に入力される音声信号（第２音声信号）、及び、光ディスクドライブ２１が読み出したコンテンツから抽出した音声信号（第１音声信号）のうちのどちらをアンプ回路部２６に出力させるかを決定する。そして、ＣＥＣ制御回路部２５１は、これらの決定結果に基づいて、動作設定情報を編集し、メモリ２４に上書きする。さらに、ＣＥＣ制御回路部２５１は、メモリ２４に記憶されている動作設定情報に基づいて、第２音声信号及び第１音声信号のうちの一方をアンプ回路部２６に出力させるための制御信号を切換回路部２５３に出力する。
【００４０】
映像音声処理回路部２５２は、音声処理回路部２５２ａと、映像処理回路部２５２ｂとを有する。音声処理回路部２５２ａは、光ディスクドライブ２１が読み出したコンテンツから音声情報を抽出し、その音声情報を音声信号（第１音声信号）として切換回路部２５３に出力する。また、映像処理回路部２５２ｂは、光ディスクドライブ２１が読み出したコンテンツから映像情報を抽出し、その映像情報を映像信号としてＨＤＭＩ通信部２２に出力する。
【００４１】
切換回路部２５３は、ＣＥＣ制御回路部２５１から入力される制御信号に基づいて、アンプ回路部２６に出力する音声信号を、テレビ３からＨＤＭＩケーブル６を介して外部入力される音声信号（第２音声信号）、音声処理回路部２５２ａから出力される音声信号（第１音声信号）、テレビ３から外部入力されてＡ／Ｄ変換回路部２８１でデジタル信号に変換されたアナログ音声信号、及びテレビ３から外部入力されたデジタル音声信号のうちの１つに切り換える。たとえば、切換回路部２５３は、予め定められるＣＥＣコマンドをＨＤＭＩ通信部２２がテレビ３から受け取ったり、ＨＤＭＩ通信部２２から予め定められるＣＥＣコマンドをテレビ３に送信したりするときには、ＣＥＣ制御回路部２５１から出力される制御信号に基づいて、第２音声信号及び第１音声信号のうちの一方をアンプ回路部２６に出力する。
【００４２】
アンプ回路部２６は、切換回路部２５３から入力される音声信号を増幅し、増幅した音声信号を音声出力端子２６０からオーディオスピーカ５に出力する。
【００４３】
また、光ディスク装置２に付属するリモコン４は、送信部４１ａと、制御部４２ａと、不揮発性の記録媒体であるメモリ４３ａと、複数の操作キーを有する入力部４４ａと、を備えている。入力部４４ａは、ユーザの操作入力に応じた指示信号を制御部４２ａに入力する。制御部４２ａは、メモリ４３ａに格納されているデータテーブルを参照して、指示信号に対応する操作コードを送信部４１ａに入力する。メモリ４３ａに格納されているデータテーブルは、入力部４４ａから出力される指示信号と操作コードとの対応関係を示すデータテーブルである。送信部４１ａは、制御部４２ａから受け取った操作コードを搬送波信号に重畳し、赤外線信号に変換して出力する。
【００４４】
次にテレビ３の構成について説明する。テレビ３は、チューナ部３１と、ＨＤＭＩ通信部３２と、受信部３３と、メモリ３４と、ＴＶ制御回路部３５と、表示部３６と、音声出力部３７と、を備えている。なお、ＴＶ制御回路部３５は、ＣＥＣ制御回路部３５１と、映像処理回路部３５２と、音声処理回路部３５３と、を有している。このほか、テレビ３は、チューナ端子３１０と、ＨＤＭＩ端子３２０と、アナログ音声端子３８０と、Ｄ／Ａ変換回路３８１部と、デジタル音声端子３９０と、を有している。
【００４５】
ＨＤＭＩ端子３２０は、ＨＤＭＩ規格に対応する外部機器と通信するために、ＨＤＭＩケーブル６が接続される外部接続用端子であり、ＨＤＭＩ制御端子３２０ａ及びＨＤＭＩ映像音声端子３２０ｂを含む複数の端子で構成されている。ＨＤＭＩ制御端子３２０ａでは、テレビ３と光ディスク装置２とを相互制御するためのＣＥＣ制御信号（以下、ＣＥＣコマンドと呼ぶ。）が送受信される。ＨＤＭＩ映像音声端子３２０ｂでは、映像信号や音声信号が重畳された映像音声信号が入出力される。
【００４６】
チューナ端子３１０にはアンテナ７が接続され、アンテナ７が受信する放送波が電気信号として入力される。また、アナログ音声端子３８０から、Ｄ／Ａ変換回路３８１部で変換されたアナログ音声信号が外部に出力される。また、デジタル音声端子３９０から、デジタル音声信号が外部に出力される。
【００４７】
チューナ部３１は、チューナ端子３１０を介してアンテナ７と接続されており、アンテナ７が受信する電波信号から放送信号を抽出して、復号や復調を行ない、ＴＶ制御回路部３５に出力する。
【００４８】
ＨＤＭＩ通信部３２は、ＨＤＭＩ端子３２０に接続されるＨＤＭＩケーブル６を介して、光ディスク装置２と通信するためのインターフェースである。ＨＤＭＩ通信部３２は、ＣＥＣ制御回路部３５１から出力されるＣＥＣコマンドをＨＤＭＩ制御端子３２０ａからＨＤＭＩケーブル６を介して光ディスク装置２に出力したり、光ディスク装置２からＨＤＭＩケーブル６を介してＨＤＭＩ制御端子３２０ａに入力されるＣＥＣコマンドをＣＥＣ制御回路部３５１に出力したりする。また、ＨＤＭＩ通信部３２は、光ディスク装置２からＨＤＭＩケーブル６を介してＨＤＭＩ映像音声端子３２０ｂに入力される映像音声信号から映像信号を抽出し、抽出した映像信号を映像処理回路部３５２に出力する。また、ＨＤＭＩ通信部３２は、光ディスク装置２とテレビ３との間で送受信される伝送信号に、音声処理回路部３５３から出力される音声信号（第２音声信号）を重畳し、映像音声信号としてＨＤＭＩ映像音声端子３２０ｂからＨＤＭＩケーブル６を介して光ディスク装置２に出力する。
【００４９】
受信部３３は、リモコン４ｂから赤外線信号を受信し、その赤外線信号から操作コードを抽出して、ＴＶ制御回路部３５に出力する。
【００５０】
メモリ３４は不揮発性の記録媒体である。このメモリ３４には、制御回路部３５やＣＥＣ制御回路部３５１が、テレビ３の各構成部やテレビ３に接続される外部機器（ここでは光ディスク装置２）の制御を行うために必要な制御情報（たとえば、各操作コードと各機能との対応関係を示すデータテーブルや、ＣＥＣコマンドなど）やプログラムなども記憶されている。
【００５１】
そのほか、メモリ３４には、オーディオシステムコントロール機能のＯＮ／ＯＦＦや、テレビ３の音声出力モード、テレビの映像出力モードを設定するためのＴＶ動作設定情報が記憶されている。リモコン４ａまたはリモコン４ｂに光ディスク装置２やテレビ３を立ち上げる旨の操作入力がなされたり、光ディスク装置２からＨＤＭＩケーブル６を介してテレビ３に「システムオーディオモードリクエスト」などの予め定められたＣＥＣコマンドが入力されたりすると、ＴＶ動作設定情報に基づいて、オーディオシステムコントロール機能のＯＮ／ＯＦＦがテレビ３に設定され、さらに、音声出力部３７から音声出力するか、音声信号をＨＤＭＩ通信部３２からＨＤＭＩケーブル６を介して光ディスク装置２に外部出力するかが設定される。なお、ＴＶ動作設定情報は、たとえば、テレビ３のメニュー画面の機能設定などで作成・変更することができる。
【００５２】
ＴＶ制御回路部３５は、メモリ３４又はＴＶ制御回路部３５に内蔵されるＲＯＭ（不図示）に格納されたプログラムを利用して、受信部３３から出力される操作コードや、メモリ３４に格納されている制御情報に応じて、テレビ３全体の動作を制御している。
【００５３】
ＣＥＣ制御回路部３５１は、光ディスク装置２に対してＨＤＭＩケーブル６を介して送受信するＣＥＣコマンドに基づいて、光ディスク装置２と連携した動作でテレビ３を制御している。たとえば、テレビ３のリモコン４ｂでの操作入力などにより、テレビ３の所定の状態が変化したとき（たとえば、テレビ３の立ち上げや、チャンネル変更など）、予め定められるＣＥＣコマンドを光ディスク装置２に出力する。このとき、ＣＥＣ制御回路部３５１はさらに、メモリ３４に記憶されているＴＶ動作設定情報に基づいて、音声処理回路部３５３が出力する音声信号をＨＤＭＩ通信部３２及び音声出力部３７のいずれか一方に出力させるための制御信号を音声処理回路部３５３に出力する。
【００５４】
また、光ディスク装置２のリモコン４ａでの操作入力などにより、テレビ３の所定の状態を変化（たとえば、テレビ３の立ち上げや、チャンネル変更など）させるための予め定められるＣＥＣコマンドが光ディスク装置２からＨＤＭＩ通信部３２に入力される場合にも、ＣＥＣ制御回路部３５１は、メモリ３４に記憶されているＴＶ動作設定情報に基づいて、音声処理回路部３５３が出力する音声信号をＨＤＭＩ通信部３２及び音声出力部３７のどちらに出力するかを決定する。そして、ＣＥＣ制御回路部３５１は、これらの決定結果に基づいて、ＴＶ動作設定情報を編集し、メモリ３４に上書きする。さらに、ＣＥＣ制御回路部３５１は、メモリ３４に記憶されているＴＶ動作設定情報に基づいて、音声処理回路部３５３が出力する音声信号をＨＤＭＩ通信部３２及び音声出力部３７のいずれか一方に出力するための制御信号を音声処理回路部３５３に入力する。なお、音声処理回路部３５３が出力する音声信号をＨＤＭＩ通信部３２に出力することを決定した場合には、ＣＥＣ制御回路部３５１は、音声出力部の音声出力をミュート（消音）する。
【００５５】
また、ＣＥＣ制御回路部３５１は、光ディスク装置２に対してＨＤＭＩケーブル６を介して送受信するＣＥＣコマンドに基づいて、テレビ３を光ディスク装置２と連携した動作で制御している。たとえば、光ディスク装置２のリモコン４ａでの操作入力などにより、テレビ３の所定の状態を変化（たとえば、テレビ３の立ち上げや、チャンネル変更など）させるための予め定められるＣＥＣコマンドをＨＤＭＩ通信部３２が受け取ると、メモリ３４に記憶されているＴＶ動作設定情報に基づいて、オーディオシステムコントロール機能のＯＮ／ＯＦＦと、テレビ３の音声出力モードとをテレビ３に設定する。また、このとき、ＣＥＣ制御回路部３５１は、光ディスク装置２からＨＤＭＩ通信部３２に入力される映像音声信号、及び放送信号のうちのどちらを映像処理回路部３５２から表示部３６に出力させるかを決定する。そして、ＣＥＣ制御回路部３５１は、これらの決定結果に基づいて、ＴＶ動作設定情報を編集し、メモリ２４に上書きする。さらに、ＣＥＣ制御回路部３５１は、メモリ３４に記憶されているＴＶ動作設定情報に基づいて、映像音声信号、及び放送信号のうちの一方から抽出した映像信号を表示部３６に出力させるための制御信号を映像処理回路部３５２に入力する。
【００５６】
また、ＣＥＣ制御回路部３５１は、テレビ３のリモコン４ｂでの操作入力などにより、テレビ３の所定の状態が変化したとき（たとえば、テレビ３の立ち上げや、チャンネル変更など）、予め定められるＣＥＣコマンド（たとえば「システムオーディオモードリクエスト」）をＨＤＭＩ通信部３２から光ディスク装置２に出力したのち、上記と同様の制御を行う。
【００５７】
音声処理回路部３５３は、チューナ部から出力される放送信号から音声信号を抽出する。抽出された音声信号は、ＣＥＣ制御回路部３５１から出力される制御信号に基づいて、ＨＤＭＩ通信部３２、音声出力部３７、Ｄ／Ａ変換回路部３８１、及びデジタル音声端子３９０のうちのいずれか１つに出力される。たとえば、音声処理回路部３５３は、予め定められるＣＥＣコマンドをＨＤＭＩ通信部３２が光ディスク装置２から受け取ったり、ＨＤＭＩ通信部３２から予め定められるＣＥＣコマンドを光ディスク装置２に送信したりするときには、ＣＥＣ制御回路部３５１から出力される制御信号に基づいて、音声信号をＨＤＭＩ通信部３２及び音声出力部３７のうちの一方に出力する。
【００５８】
映像処理回路部３５２は、チューナ部から出力される放送信号から映像信号を抽出する。また、映像処理回路部３５２には、ＨＤＭＩ通信部３２から映像信号が入力される。この映像信号は、光ディスク装置２にて読み出されたコンテンツから抽出された映像情報であり、光ディスク装置２からＨＤＭＩケーブル６を介してテレビ３に入力されている。映像処理回路部３５２は、ＣＥＣ制御回路部３５１から出力される制御信号に基づいて、光ディスク装置２からＨＤＭＩ通信部３２に入力される映像信号、及び、放送信号から抽出した映像信号のうちの一方を表示部３６に出力する。
【００５９】
表示部３６は、映像処理回路部３５２から出力される映像信号に基づく表示を行う。また、音声出力部３７は、音声処理回路部３５３から出力される音声信号に基づく音声出力を行う。なお、音声処理回路部３５３から出力される音声信号がＨＤＭＩ通信部３２に出力される場合には、ＣＥＣ制御回路部３５１がＨＤＭＩ規格に基づいて、音声出力部３７での音声出力を消音する。
【００６０】
また、テレビ３に付属するリモコン４ｂは、送信部４１ｂと、制御部４２ｂと、不揮発性の記録媒体であるメモリ４３ｂと、複数の操作キーを有する入力部４４ｂと、を備えている。入力部４４ｂは、ユーザの操作入力に応じた指示信号を制御部４２ｂに入力する。制御部４２ｂは、メモリ４３ｂに格納されているデータテーブルを参照して、指示信号に対応する操作コードを送信部４１ｂに入力する。メモリ４３ｂに格納されているデータテーブルは、入力部４４ｂから出力される指示信号と操作コードとの対応関係を示すデータテーブルである。送信部４１ｂは、制御部４２ｂから受け取った操作コードを搬送波信号に重畳し、赤外線信号に変換して出力する。
【００６１】
次に、映像音声システム１において光ディスク装置２を立ち上げる動作について説明する。図２は、光ディスク装置を立ち上げる時の動作のフローチャートである。なお、図２のフローチャートの開始時において、光ディスク装置２の電源はＯＦＦとなっている。
【００６２】
先ず、光ディスク装置２に付属のリモコン４ａが操作入力されると（ステップＳ１０１でＹｅｓ）、制御回路部２５は、その操作入力が光ディスク装置２やテレビ３の電源をＯＮにする旨のものか否かを判定する（ステップＳ１０２）。電源をＯＮにする旨の操作入力である場合（ステップＳ１０２でＹｅｓ）、ＣＥＣ制御回路部２５１が、光ディスク装置２の電源をＯＮにする（ステップＳ１０３）とともに、テレビ３を立ち上げる旨のＣＥＣコマンドをＨＤＭＩ通信部２２に出力し（ステップＳ１０４）、処理をステップＳ１１０に進める。このＣＥＣコマンドはＨＤＭＩ制御端子２２０ａからＨＤＭＩケーブル６の制御信号線６ａを介してテレビ３に出力される。このとき、テレビ３が立ち上がっていない場合には、テレビ３の電源がＯＮになって、テレビ３が立ち上がる。
【００６３】
また、電源をＯＮにする旨の操作入力ではない場合（ステップＳ１０２でＮｏ）、光ディスク装置２の制御回路部２５は、その操作入力がテレビ３のチャンネルを変更する旨のものか否かを判定する（ステップＳ１０５）。テレビ３のチャンネルを変更する旨の操作入力ではない場合（ステップＳ１０５でＮｏ）には、制御回路部２５は処理をステップＳ１０１に戻す。
【００６４】
テレビ３のチャンネルを変更する旨の操作入力である場合（ステップＳ１０５でＹｅｓ）には、ＣＥＣ制御回路部２５１が、光ディスク装置２の電源をＯＮにする（ステップＳ１０６）とともに、テレビ３のチャンネルを変更する旨のＣＥＣコマンドをＨＤＭＩ通信部２２に出力し（ステップＳ１０７）、処理をステップＳ１１０に進める。このＣＥＣコマンドは、ＨＤＭＩ制御端子２２０ａからＨＤＭＩケーブル６を介してテレビ３に出力される。このとき、テレビ３が立ち上がっていない場合には、テレビ３の電源がＯＮとなってテレビ３が立ち上がるようにしてもよいし、テレビ３の電源がＯＦＦのままとなるようにしてもよい。
【００６５】
次に、ステップＳ１０１において、リモコン４に操作入力されていない場合（ステップＳ１０１でＮｏ）であっても、テレビ３から「オーディオシステムモードリクエスト（System Audio Mode Request）」というＣＥＣコマンドをＨＤＭＩ通信部２２が受け取ると（ステップＳ１０８でＹｅｓ）、ＣＥＣ制御回路部２５１が、光ディスク装置２の電源をＯＮにし（ステップＳ１０９）、処理をステップＳ１１０に進める。なお、「オーディオシステムモードリクエスト」は、テレビ３に付属するリモコン４ｂにテレビ３又は光ディスク装置２の電源をＯＮにする旨の操作入力や、テレビ３のチャンネルを変更する旨の操作入力がなされた場合に、テレビ３からＨＤＭＩケーブル６を介してＨＤＭＩ通信部２２に送信されるＣＥＣコマンドである。
【００６６】
ステップＳ１１０では、ＣＥＣ制御回路部２５１が、メモリ２４から動作設定情報を読み出す。そして、ＣＥＣ制御回路部２５１は、ＨＤＭＩ規格で定められたシステムオーディオコントロール機能を有効にする旨が動作設定情報に設定されているか否かを判定する（ステップＳ１１１）。
【００６７】
メモリ２４から読み出した動作設定情報にシステムオーディオコントロール機能を有効にすると設定されている場合（ステップＳ１１１においてＹｅｓ）、ＣＥＣ制御回路部２５１はさらに、光ディスク装置２を外部入力モードで立ち上げる旨が動作設定情報に設定されているか否かを判定する（ステップＳ１１２）。外部入力モードで立ち上げる旨が動作設定情報に設定されている場合（ステップＳ１１２においてＹｅｓ）には、ＣＥＣ制御回路部２５１は、システムオーディオコントロール機能を有効にするとともに、光ディスク装置２を外部出力モードで立ち上げる。そして、システムオーディオコントロール機能を利用して、高音質で迫力のあるテレビ３の音声をオーディオスピーカ５から出力させる（ステップＳ１１３）。また、このとき、ＣＥＣ制御回路部２５１は、切換回路部２５３に出力する音声信号を、テレビ３から外部入力されてきた第２音声信号に切り換えさせる。第２音声信号は、アンプ回路部２６で増幅され、音声出力端子２６０からオーディオスピーカ５に出力される。これにより、光ディスク装置２は外部入力される第２音声信号を増幅するアンプ装置（音声増幅装置）として起動することになる。
【００６８】
一方、動作設定情報にシステムオーディオコントロール機能を有効にすると設定されていない場合（ステップＳ１１１においてＮｏ）や、外部入力モードで立ち上げる旨が動作設定情報に設定されていない場合（ステップＳ１１２においてＮｏ）には、ＣＥＣ制御回路部２５１は、システムオーディオコントロール機能を無効にするとともに、光ディスク装置２をコンテンツ再生モードで立ち上げる。そして、光ディスク装置２が光ディスク２１０に格納されたコンテンツを再生すると、ＣＥＣ制御回路部２５１は、システムオーディオコントロール機能を利用することなく、高音質で迫力のあるコンテンツの音声をオーディオスピーカ５から出力させる（ステップＳ１１４）。このとき、ＣＥＣ制御回路部２５１は、切換回路部２５３に出力する音声信号を音声処理回路部２５２ａから出力される第１音声信号に切り換えさせる。第１音声信号は、アンプ回路部２６で増幅され、音声出力端子２６０からオーディオスピーカ５に出力される。これにより、光ディスク装置２はコンテンツ再生装置として起動することになる。
【００６９】
以上の動作により、ＨＤＭＩ−ＣＥＣ機能を利用して、ユーザが意図する状態で光ディスク装置２を起動させることができる。なお、図２のフローチャートでは、開始時に光ディスク装置２の電源がＯＦＦであるものとしたが、ＯＮであっても同様に動作させることができる。
【００７０】
また、本実施形態では、光ディスク装置２のリモコン４ａやテレビ３のリモコン４ｂに操作入力を行うものとしているが、これに限定されず、光ディスク装置２やテレビ３にも各リモコン４ａ，４ｂと同等の機能を有する入力部が備えられていてもよい。
【００７１】
また、本実施形態の映像音声システム１では、光ディスク装置２と、テレビ３と、オーディオスピーカ５とを含んで構成されているが、これに限定しない。少なくとも、表示部３６を有するＨＤＭＩ対応の映像音声機器であれば、テレビ３に代えて利用することができる。また、少なくとも、着脱可能な記憶媒体又は内蔵する記憶装置からコンテンツを読み出すコンテンツ再生機能と、音声信号を増幅するアンプ機能と、を有するＨＤＭＩ対応の映像音声機器であれば、光ディスク装置２に代えて利用することができる。
【００７２】
以上、本発明について実施形態をもとに説明した。この実施形態は例示であり、その各構成要素や各処理の組み合わせに色々な変形例が可能であり、本発明の範囲にあることは当業者に理解されるところである。
【産業上の利用可能性】
【００７３】
本発明は、ＤＶＤプレイヤーやＤＶＤレコーダ、ＢＤプレイヤー、ＢＤレコーダ、テレビジョン受像機、これらの機器で構成されるホームシアターシステムなどに利用することができる。
【符号の説明】
【００７４】
１      映像音声システム
２      光ディスク装置（映像音声機器）
２１      光ディスクドライブ（コンテンツ再生回路部）
２１０      光ディスク（着脱可能な記録媒体）
２２      ＨＤＭＩ通信部
２２０      ＨＤＭＩ端子
２２０ａ      ＨＤＭＩ制御端子
２２０ｂ      ＨＤＭＩ映像音声端子
２３      受信部
２４      メモリ（記憶部）
２５      制御回路部
２５１      ＣＥＣ制御回路部
２５２      映像音声処理回路部
２５２ａ      音声処理回路部
２５２ｂ      映像処理回路部
２５３      切換回路部
２６      アンプ回路部（信号増幅回路部）
２６０      音声出力端子
２８０      アナログ音声端子
２８１      Ａ／Ｄ変換回路部
２９０      デジタル音声端子
３      テレビ（テレビジョン受像機）
３１      チューナ部
３２      ＨＤＭＩ通信部
３２０      ＨＤＭＩ端子
３２０ａ      ＨＤＭＩ制御端子
３２０ｂ      ＨＤＭＩ映像音声端子
３３      受信部
３４      メモリ
３５      ＴＶ制御回路部
３５１      ＣＥＣ制御回路部
３５２      映像処理回路部
３５３      音声処理回路部
３６      表示部
３７      音声出力部
３８０      アナログ音声端子
３８１      Ｄ／Ａ変換回路
３９０      デジタル音声端子
４ａ，４ｂ      リモコン
４１ａ，４１ｂ      送信部
４２ａ，４２ｂ      制御部
４３ａ，４３ｂ      メモリ
４４ａ，４４ｂ      入力部
５      オーディオスピーカ（音声出力装置）
６      ＨＤＭＩケーブル
６ａ      制御信号線
６ｂ      映像音声信号線
７      アンテナ
【図１】
2012248257.tif 000003
【図２】
2012248257.tif 000004